(57)【特許請求の範囲】
【請求項１】
遊技盤に設けられた入賞口に入球した遊技球が上流側から下流側に流下する入球経路と、該入球経路における予め定められた検知位置で前記入賞口に入球した遊技球を検知する検知装置とを備える弾球遊技機であって、
前記入球経路における前記検知位置よりも下流側に設けられた移動防止区間において、遊技球が下流側から上流側に移動することを防ぐ移動防止手段と、
前記移動防止区間における上流側の端部よりも下流側に位置する開閉位置において前記入球経路を閉鎖することで、外部から前記入球経路に侵入した異物或いは遊技球が前記開閉位置の上流側に侵入することを防ぎ、遊技球が前記開閉位置を流下する際には該遊技球により開放されて該遊技球を流下させると共に、該遊技球の通過後、再度、前記開閉位置を閉鎖する開閉手段と、
を備えることを特徴とする弾球遊技機。
【請求項２】
請求項１に記載の弾球遊技機において、
前記移動防止手段は、前記移動防止区間に沿って配置され、前記移動防止区間に沿って回転すると共に、遊技球が前記移動防止区間を流下する流下方向の逆方向に沿った回転が規制されており、その外周面に、前記移動防止区間を流下する遊技球に係合する複数の溝部が連なった状態で形成された回転体として構成されており、
前記回転体は、前記溝部に係合した遊技球のみが前記移動防止区間を通過可能とすることで、前記移動防止区間に位置する遊技球が下流側から上流側に移動することを防ぐこと、
を特徴とする弾球遊技機。
【請求項３】
請求項２に記載の弾球遊技機において、
前記開閉手段は、前記入球経路に沿った位置に立設された支軸と、前記支軸により軸支され、前記開閉位置で前記入球経路を閉鎖する板状の扉部を有しており、
前記扉部は、前記開閉位置を流下する遊技球に当接することで前記流下方向に沿って回動して前記開閉位置を開放すると共に当接した遊技球を流下させ、該遊技球が離間した後に、前記流下方向の反対方向に沿って回動して前記開閉位置を閉鎖すること、
を特徴とする弾球遊技機。
【発明の詳細な説明】
【技術分野】
【０００１】
本発明は、リフティングゴトの防止が可能な弾球遊技機に関する。
【背景技術】
【０００２】
可塑性の棒状のゴト器具を弾球遊技機の内部に侵入させることにより、入賞口に入球した遊技球が流下する入球経路に設けられた入球検知スイッチの誤検知を発生させ、不正に賞球を得るリフティングゴトと呼ばれる不正行為が知られている。図１２（ａ）に記載されているように、リフティングゴトでは、弾球遊技機の下皿の球排出口等からゴト器具３００を入球経路６００に侵入させ、該ゴト器具の先端で入球経路６００を流下する遊技球２００を受け止めて貯留する。そして、ゴト器具３００を操り、貯留した遊技球２００を入球検知スイッチ６１０が設けられた検知位置まで移動させ、該遊技球２００に検知位置を通過させることで、入球検知スイッチ６１０の誤検知を発生させるのである。
【０００３】
ここで、特許文献１には、このような不正行為を防ぐため、下面が透明な部材で構成されたハウジングの内部に下向きに配置された監視カメラを弾球遊技機の上方に設置することが記載されている。このような監視カメラを用いることで、遊技者の手元を監視することができ、不正行為を確実に発見することが可能となる。
【０００４】
しかしながら、このような監視カメラを設けるためには、多額の費用が必要となる。また、監視カメラにて撮影された画像をチェックする必要が生じ、パチンコ店の運営コストが増加してしまう。
【先行技術文献】
【特許文献】
【０００５】
【特許文献１】特開平７−３２８２１６号公報
【発明の概要】
【発明が解決しようとする課題】
【０００６】
一方、リフティングゴトの対策として、次のような方法も提案されている。すなわち、図１２（ｂ）に記載されているように、入球経路６００上の検知位置の下流側に、入球経路６００の上流側からの押圧により開放され、下流側からの押圧では開放不可能な開閉機構６２０を設けるのである。こうすることで、入球経路６００を流下する遊技球２００については開閉機構６２０を通過させることができるが、入球経路６００の下流側から侵入したゴト器具３００が開閉機構６２０よりも上流側に到達することを防ぐことができるため、リフティングゴトを防止することができる。
【０００７】
しかしながら、このような対策を施したとしても、次のようにしてリフティングゴトを行うことができる。すなわち、図１３に記載されているように、開閉機構６２０の手前の位置までゴト器具３００の先端を侵入させ、ゴト器具３００の先端により開閉機構６２０を通過した複数の遊技球２００ａ〜２００ｄを貯留することで、これらの遊技球により開閉機構６２０を開放された状態で保持するのである。そして、ゴト器具３００を操って貯留された複数の遊技球に検知位置を通過させることで、入球検知スイッチ６１０の誤検知を発生させるのである。
【０００８】
したがって、検知位置の下流側に開閉機構６２０を設けたとしても、リフティングゴトを完全に防止することはできない。
また、次のようなリフティングゴトの対策も提案されている。すなわち、図１４に記載されているように、入球経路６００上における検知位置の下流側の所定区間を流下する遊技球の流下方向に沿った方向にのみ回転し、遊技球と係合する溝部が連なって形成された外周の一部が入球経路内に突出した回転体６３０を設け、回転体６３０の溝部に係合した遊技球のみが該所定区間を通過可能に構成するのである。こうすることにより、所定区間においては、下流側から上流側に遊技球を移動させることができなくなる。このため、所定区間より下流側までゴト器具３００の先端を侵入させ、ゴト器具３００の先端で遊技球２００ａ〜２００ｄを貯留したとしても、貯留した遊技球２００ａ〜２００ｄを上流側に移動させることができない。したがって、入球検知スイッチ６１０の誤検知を発生させることができず、リフティングゴトを防止することができる（図１４（ａ）〜（ｆ）参照）。
【０００９】
しかしながら、ゴト器具が十分に細い場合には、所定区間よりも上流側の検知位置の手前までゴト器具３００の先端を侵入させることができる。このため、検知位置と所定区間の間にてゴト器具３００の先端で遊技球２００ａを貯留することで、該遊技球２００ａを検知位置まで到達させることができ、このようなゴト器具３００を用いることで、リフティングゴトを行うことができる（図１４（ｇ）〜（ｊ））。
【００１０】
ここで、所定区間と検知位置との間隙を無くすことでリフティングゴトの防止が可能となると考えられるが、入球検知スイッチは、一般的に、入球経路の壁部を取り巻くコイルからなる磁気センサとして構成されている。これに対し、回転体は、外周の一部が入球経路内に突出するように配置されるため、入球検知スイッチが設けられる検知位置をまたぐようにして回転体を設けることはできず、所定区間と検知位置との間隙を無くすことはできない。
【００１１】
また、所定区間と検知位置との間隙を十分に小さくすることで、リフティングゴトの防止効果を高めることができるとも考えられる。しかしながら、回転体の溝部に係合した遊技球が所定区間を通過する際には、他の区間を流下する場合に比べ遊技球の流下速度が低下する可能性があり、複数の遊技球が連なって所定区間を通過する際等には球詰まりが生じる可能性がある。このため、所定区間と検知位置とを近づけ過ぎると、所定区間に生じた球詰まりにより入球検知スイッチの誤検知が発生するおそれがある。
【００１２】
さらに、検知位置が入賞口付近に設けられている場合であれば、検知位置の上流側にゴト器具の先端を侵入させて遊技球を貯留することは困難であるが、検知位置が入賞口よりも十分に下流側に設けられている場合であれば、検知位置の上流側で遊技球を貯留することもできる。そして、上流側で貯留された遊技球を下流側に移動させて検知位置を通過させることで、入球検知スイッチの誤検知を発生させることができる。したがって、上述の回転体を設けたとしても、リフティングゴトを完全に防止することはできない。
【００１３】
本願発明は上記課題に鑑みてなされたものであり、リフティングゴトをより確実に防止することができる弾球遊技機を提供することを目的とする。
【課題を解決するための手段】
【００１４】
上記課題を解決するためになされた請求項１に記載の弾球遊技機は、遊技盤に設けられた入賞口に入球した遊技球が上流側から下流側に流下する入球経路と、該入球経路における予め定められた検知位置で前記入賞口に入球した遊技球を検知する検知装置とを備える。そして、入球経路における検知位置よりも下流側に設けられた移動防止区間において、遊技球が下流側から上流側に移動することを防ぐ移動防止手段と、移動防止区間における上流側の端部よりも下流側に位置する開閉位置において入球経路を閉鎖することで、外部から入球経路に侵入した異物或いは遊技球が開閉位置の上流側に侵入することを防ぎ、遊技球が開閉位置を流下する際には該遊技球により開放されて該遊技球を流下させると共に、該遊技球の通過後、再度、開閉位置を閉鎖する開閉手段と、を備える。
【００１５】
なお、外部から入球経路に侵入した異物とは、例えば、リフティングゴト（入球経路にゴト器具を侵入させると共に、侵入させたゴト器具により該入球経路を流下する遊技球を受け止めて貯留し、該ゴト器具を操り貯留された遊技球に検知位置を通過させることで、検知装置の誤作動を生じさせる行為）に用いられるゴト器具等のことである。
【００１６】
こうすることにより、開閉位置の上流側にゴト器具が侵入することを防ぐことができ、リフティングゴトを防止することができる。
また、ゴト器具の先端を開閉位置の下流側まで侵入させ、ゴト器具の先端で１または複数の遊技球を貯留すると共に、貯留した遊技球により開放手段を開放させた状態で保持したとしても、検知位置と開閉位置との間には遊技球の上流側への移動が不可能な移動防止区間が設けられおり、該移動防止区間に位置する遊技球を上流側に移動することはできない。このため、貯留した遊技球を検知位置まで移動させることができず、リフティングゴトを防止することができる。
【００１７】
また、ゴト器具により、開閉位置の下流側の位置から検知位置よりも上流側の位置にかけて複数の遊技球を貯留し、貯留した遊技球により開放手段を開放させた状態で保持したとしても、検知位置で貯留された遊技球は下流側にしか移動させることができない。このため、検知装置の誤作動を発生させることができず、リフティングゴトを防止することができる。
【００１８】
なお、開閉位置が移動防止区間の下流側に配置されている場合には、開閉位置と移動防止区間との間隔がどの程度開いているかに関らず、リフティングゴトを防止することができる。
【００１９】
また、移動防止手段は次のように構成されていても良い。
すなわち、請求項２に記載されているように、移動防止手段は、移動防止区間に沿って配置され、移動防止区間に沿って回転すると共に、遊技球が移動防止区間を流下する流下方向の逆方向に沿った回転が規制されており、その外周面に、移動防止区間を流下する遊技球に係合する複数の溝部が連なった状態で形成された回転体として構成されており、回転体は、溝部に係合した遊技球のみが移動防止区間を通過可能とすることで、移動防止区間に位置する遊技球が下流側から上流側に移動することを防いでも良い。
【００２０】
こうすることにより、移動防止区間に位置する遊技球が下流側から上流側に移動することを、確実に防ぐことができる。
また、開閉手段は次のように構成されていても良い。
【００２１】
すなわち、請求項３に記載されているように、開閉手段は、入球経路に沿った位置に立設された支軸と、支軸により軸支され、開閉位置で入球経路を閉鎖する板状の扉部を有しており、扉部は、開閉位置を流下する遊技球に当接することで流下方向に沿って回動して開閉位置を開放すると共に当接した遊技球を流下させ、該遊技球が離間した後に、流下方向の反対方向に沿って回動して開閉位置を閉鎖しても良い。
【００２２】
こうすることにより、開閉位置を確実に閉鎖することや、開閉位置を流下する遊技球を確実に通過させることができる。
また、開閉位置と、遊技球の下流側から上流側への移動を防止する移動防止手段の位置関係を、以下のようしても良い。
【００２３】
すなわち、遊技盤に設けられた入賞口に入球した遊技球が上流側から下流側に流下する入球経路と、該入球経路における予め定められた検知位置で前記入賞口に入球した遊技球を検知する検知装置とを備えている弾球遊技機において、検知位置よりも下流側の開閉位置において入球経路を閉鎖することで、外部から入球経路に侵入した異物或いは遊技球が開閉位置の上流側に侵入することを防ぎ、遊技球が開閉位置を流下する際には該遊技球により開放されて該遊技球を流下させると共に、該遊技球の通過後、再度、開閉位置を閉鎖する開閉手段と、開閉手段を開放させている遊技球が、下流側から上流側に移動することを防ぐ移動防止手段と、を備えていても良い。
【００２４】
こうすることにより、開閉手段により入球経路の開閉位置が閉鎖されるため、開閉位置の上流側にゴト器具や遊技球が侵入することを防ぐことができ、リフティングゴトを防止することができる。
【００２５】
また、上記弾球遊技機は、開閉手段と移動防止手段を備えているが、図１５に記載されているように、開閉手段の一例として、支軸１２４ｂと、該支軸１２４ｂを中心に回動することで開閉位置１２４−１を開閉する扉部１２４ａ等から構成された開閉機構１２４が考えられる。また、移動防止手段の一例として、支軸１２６を中心に回転し、外周面に遊技球２００が係合する溝部１２５ａが連なった状態で形成され、遊技球の流下方向の反対方向への回転が規制された回転体１２５が考えられる。
【００２６】
ここで、このような開閉機構１２４（開閉手段）と回転体１２５（移動防止手段）とを入球経路に設けたとしても、図１５に記載されているように、開閉位置１２４−１が回転体１２５の上流側に位置し、これらの間隔が十分に開いている場合には、開閉位置１２４−１と回転体１２５との間にゴト器具３００を侵入させて遊技球を貯留し、貯留した遊技球により扉部１２４ａが開放させた状態で保持することが可能となる。そして、ゴト器具３００を操って貯留した遊技球を検知装置３５ａが設けられた検知位置に到達させ、検知位置で遊技球を上下方向に移動させることができ、リフティングゴトが可能となってしまう（図１５（ｂ）〜（ｄ））。
【００２７】
そこで、上記弾球遊技機では、移動防止手段が、開閉手段を開放させる遊技球が上流側に移動することを防止できるよう構成されている。つまり、移動防止手段が回転体１２５、開閉手段が開閉機構１２４であると仮定した場合には、回転体１２５が、開閉機構１２４の扉部１２４ａを開放させている遊技球の上流側への移動を防ぐよう、回転体１２５と開閉機構１２４との位置関係が調整されている。こうすることにより、ゴト器具の先端を開閉位置の下流側まで侵入させ、ゴト器具の先端で１または複数の遊技球を貯留すると共に、貯留した遊技球により開放手段を開放させた状態で保持したとしても、移動防止手段により開閉手段を開放させている遊技球の下流側から上流側への移動が防止される。このため、貯留した遊技球を検知位置まで到達させることができず、リフティングゴトを防止することができる。
【００２８】
また、ゴト器具により、開閉位置の下流側の位置から検知位置よりも上流側の位置にかけて複数の遊技球を貯留し、貯留した遊技球により開放手段を開放させた状態で保持したとしても、同様にして、開閉手段を開放させている遊技球の上流側への移動が防止される。このため、検知位置で貯留された遊技球を下流側にしか移動させることができず、検知装置の誤作動を発生させることができないため、リフティングゴトを防止することができる。
【００２９】
なお、移動防止手段は次のように構成されていても良い。
すなわち、移動防止手段は、入球経路に沿って回転すると共に、開閉手段を開放させている遊技球が流下する流下方向の逆方向に沿った回転が規制されており、その外周面に、流下する遊技球に係合する複数の溝部が連なった状態で形成された回転体として構成されており、回転体は、開閉手段が開放されている間は、溝部に係合した遊技球のみを流下可能とすることで、開閉手段を開放させている遊技球が下流側から上流側に移動することを防いでも良い。
【００３０】
こうすることにより、開放手段を開放させている遊技球が下流側から上流側に移動することを、確実に防ぐことができる。
また、開閉手段は次のように構成されていても良い。
【００３１】
すなわち、開閉手段は、入球経路に沿った位置に立設された支軸と、支軸により軸支され、開閉位置で入球経路を閉鎖する板状の扉部を有しており、扉部は、開閉位置を流下する遊技球に当接することで流下方向に沿って回動して開閉位置を開放すると共に当接した遊技球を流下させ、該遊技球が離間した後に、流下方向の反対方向に沿って回動して開閉位置を閉鎖し、回転体は、流下方向に回動した扉部に当接している遊技球が溝部に係合することで、開閉手段を開放させている遊技球が下流側から上流側に移動することを防いでも良い。
【００３２】
こうすることにより、開閉位置を確実に閉鎖することや、開閉位置を流下する遊技球を確実に通過させることが可能となると共に、開閉手段を開放させている遊技球が上流側に移動することを確実に防ぐことができる。
【００３３】
また、回転体の外周面と、開放された扉部とが対面するよう、回転体と、扉部と、支軸とが配置されていても良い。
こうすることにより、回転体の外周面と開放された開閉手段の扉部とを対面させることができ、扉部と回転体の外周面に形成された溝部とにより、開閉手段を開放させる遊技球を挟み込むことができる。このため、開放手段を開放させている遊技球をより確実に回転体の溝部に係合させることができ、該遊技球が上流側に移動することを、より確実に防ぐことができる。
【図面の簡単な説明】
【００３４】
【図１】パチンコ機の正面図である。
【図２】パチンコ機の遊技盤の正面図である。
【図３】パチンコ機の遊技盤の裏面の正面図である。
【図４】パチンコ機の電気的構成を示すブロック図である。
【図５】第一実施形態の防止装置の斜視図等である。
【図６】遊技球が流下する際の防止装置の動作についての説明図である。
【図７】リフティングゴトを防止する際の防止装置の動作についての説明図である。
【図８】第二実施形態の防止装置の断面図等である。
【図９】第三実施形態の防止装置の斜視図等である。
【図１０】第三実施形態の防止装置の断面図等である。
【図１１】第三実施形態の防止装置の変形例についての断面図等である。
【図１２】リフティングゴトについての説明図等である。
【図１３】開閉機構が設けられた場合のリフティングゴトについての説明図である。
【図１４】回転体の動作についての説明図である。
【図１５】開閉機構と回転体との間隔が広い場合にリフティングゴトが可能となることについての説明図である。
【発明を実施するための形態】
【００３５】
以下、本発明の実施形態について図面を用いて説明する。尚、本発明の実施の形態は、下記の実施形態に何ら限定されることはなく、本発明の技術的範囲に属する限り種々の形態を採りうる。
【００３６】
［構成の説明］
（１）全体の構成について
図１に示すように、弾球遊技機の一種であるパチンコ機１は、縦長の固定外郭保持枠をなす外枠２１にて構成の各部を保持する構造を有している。
【００３７】
外枠２１の左側上下には、ヒンジ５ｂが設けられており、該ヒンジ５ｂの他方側には内枠が取り付けられており、内枠は外枠２１に対して開閉可能な構成になっている。
前枠５ｃには、板ガラス９が取り外し自在に設けられており、板ガラス９の奥には図２ に記載する遊技盤８が内枠に取り付けられている。
【００３８】
前枠５ｃの上側左右には、スピーカ１１が設けられており、該スピーカ１１からは、遊技の趣向性を向上させるための各種遊技音が出力される。また、遊技の趣向性を向上させるために前枠５ｃに遊技状態に応じて発光する枠側装飾ランプも複数設けられている。
【００３９】
前枠５ｃの下方には、上皿１２と下皿１３が一体に形成されている。下皿１３の右側には発射ハンドル１８が取り付けられており、該発射ハンドル１８を時計回りに回動操作することによって発射装置（図示省略）が作動し、上皿１２から供給された遊技球が遊技盤８に向けて発射される。
【００４０】
下皿１３の左側には、遊技者が操作可能な停止ボタン１４が備えられており、遊技者が所定期間中に、該停止ボタン１４を操作することで後述する演出図柄表示装置５４ｂに表示される内容が変化したり、スピーカ１１より出力される遊技音が変化する。
【００４１】
また、このパチンコ機１はいわゆるＣＲ機であって、プリペイドカードの読み書き等を行うためのプリペイドカードユニット（ＣＲユニット）５ａが付属しており、パチンコ機１には、貸出ボタン１６、精算ボタン１７及び精算表示装置１５を有するＣＲ精算表示装置が備わっている。
【００４２】
また、パチンコ機１の裏側には、主制御装置５０、払出制御装置５１、演出図柄制御装置５４ａ、サブ統合装置５３、発射制御装置５２、電源基板が設けられている。主制御装置５０、演出図柄制御装置５４ａ、サブ統合装置５３は遊技盤８に設けられており、払出制御装置５１、発射制御装置５２、電源基板が内枠に設けられている。
【００４３】
図２に示すように遊技盤８には、公知のガイドレール２５ａ、２５ｂによって囲まれた略円形の遊技領域２６が設けられている。この遊技領域２６には多数の遊技釘２７が打ち付けられている。
【００４４】
遊技領域２６のほぼ中央部には、センターケース２８が配されている。センターケース２８は、公知のものと同様に、ワープ入口、ワープ通路、ステージ、演出図柄表示装置５４ｂ（液晶表示装置であり演出図柄を表示する。）の画面を臨ませる窓２８ａ等を備えている。
【００４５】
窓２８ａの上側には７セグメントの特別図柄表示装置２９及び普通図柄表示装置３０と、４個のＬＥＤからなる特別図柄保留数表示装置２９ａ及び普通図柄保留数表示装置３０ａが設置されている。
【００４６】
センターケース２８の下方には普通図柄作動ゲート４２が配置されていると共に、普通図柄作動ゲート４２の下方には始動口３１が配置されている。
始動口３１は、いわゆるチャッカーであり、常時入球可能である。また、始動口３１は、羽根４０が開閉する電動チューリップとして構成されており、遊技球が普通図柄作動ゲート４２を通過することで行われる普通図柄抽選で当選し、普通図柄表示装置３０に当りの普通図柄が確定表示されると、始動口３１は開放されて入球容易になる。
【００４７】
また、センターケース２８の両側には、一般入賞口３５，３６が設けられている。この一般入賞口３５，３６は、入球率が変化しない普通入賞口である。
始動口３１の下方にはアタッカー式の大入賞口３３ａが配置され、その下方にはアウト穴３４が設けられている。
（２）遊技盤の裏面の構成について
次に、遊技盤８の裏面の構成について図３を用いて説明する。
【００４８】
遊技盤８の裏面には、始動口３１や一般入賞口３５，３６等の入賞口への入球を検知する入球検知スイッチが設けられていると共に、入賞口に入球した遊技球が流下する樋が設けられている。図３では、一例として、一般入賞口３５，３６への入球した遊技球が流下する樋３５ｂ，３６ｂが記載されており、一般入賞口３５，３６と樋３５ｂ，３６ｂとの間には、それぞれ、リフティングゴトを防止するためのリフティングゴト防止装置１００が設けられている。この樋３５ｂ，３６ｂとリフティングゴト防止装置１００とにより、一般入賞口３５，３６に入球した遊技球の入球経路が形成されており、それぞれのリフティングゴト防止装置１００の内部には、一般入賞口３５，３６への入球を検知する入球検知スイッチである一般入賞口ＳＷ３５ａ，３６ａが設けられている。
【００４９】
なお、始動口３１等に関しても、同様の樋やリフティングゴト防止装置１００が設けられていても良い。
（３）電気的構成について
このパチンコ機１の電気的構成は、図４のブロック図に示すとおり、主制御装置５０を中心にして構成されている。なお、このブロック図には、単に信号を中継するいわゆる中継基板及び電源基板等は記載していない。また、詳細の図示は省略するが、主制御装置５０、払出制御装置５１、演出図柄制御装置５４ａ、サブ統合装置５３のいずれもＣＰＵ、ＲＯＭ、ＲＡＭ、入力ポート、出力ポート等を備えているが、本実施例では、発射制御装置５２、電源基板にはＣＰＵ、ＲＯＭ、ＲＡＭは設けられていない。しかし、これに限るわけではなく、発射制御装置５２にＣＰＵ、ＲＯＭ、ＲＡＭ等を設けてもよい。
【００５０】
主制御装置５０には、始動口３１に入球した遊技球を検出する入球検知スイッチである特図始動ＳＷ３１ａ、普通図柄作動ゲート４２に進入した遊技球を検出する普通図柄作動ＳＷ４２ａ、大入賞口３３ａに入球した遊技球を計数するためのカウントＳＷ３３ｂ、一般入賞口３５，３６に入球した遊技球を検出する一般入賞口ＳＷ３５ａ，３６ａ等の検出信号が入力される。なお、特図始動ＳＷ３１ａ，普通図柄作動ＳＷ４２ａ，カウントＳＷ３３ｂは、上述した入球検知スイッチに相当する。
【００５１】
主制御装置５０は搭載しているプログラムに従って動作して、上述の検出信号などに基づいて遊技の進行に関わる各種のコマンドを生成して払出制御装置５１及びサブ統合装置５３に出力する。
【００５２】
また、主制御装置５０は、図柄表示装置中継端子板６４を介して接続されている特別図柄表示装置２９，普通図柄表示装置３０の表示や、特別図柄保留数表示装置２９ａ，普通図柄保留数表示装置３０ａの点灯を制御する。
【００５３】
更に、主制御装置５０は、大入賞口ソレノイド３３ｃを制御することで大入賞口３３ａの開閉を制御し、普通役物ソレノイド４０ｂを制御すること始動口３１の開閉を制御する。
【００５４】
主制御装置５０からの出力信号は試験信号端子にも出力されほか、図柄変動や大当り等の管理用の信号が外部接続端子６１に出力されてホールメインコンピュータに送られる。
主制御装置５０と払出制御装置５１とは双方向通信が可能である。
【００５５】
払出制御装置５１は、主制御装置５０から送られてくるコマンドに応じて払出モータを稼働させて賞球を払い出させる。本実施例においては、賞球として払い出される遊技球を計数するための払出ＳＷ２４ｂの検出信号は払出制御装置５１に入力され、払出制御装置５１で賞球の計数が行われる構成を用いる。この他にも主制御装置５０と払出制御装置５１に払出ＳＷ２４ｂの検出信号が入力され、主制御装置５０と払出制御装置５１の双方で賞球の計数を行う構成を用いることも考えられる。
【００５６】
なお、払出制御装置５１は、前面枠閉鎖ＳＷ３８、意匠枠閉鎖ＳＷ３９、球切れＳＷ２３ａ、払出ＳＷ２４ｂ、満杯ＳＷ１３ａからの信号が入力され、満杯ＳＷ１３ａにより下皿１３が満タンであることを示す信号が入力された場合及び球切れＳＷ２３ａにより球タンクに遊技球が少ないあるいは無いことを示す信号が入力されると払出モータを停止させ、賞球の払出動作を停止させる。また、満杯ＳＷ１３ａ、球切れＳＷ２３ａも、その状態が解消されるまで信号を出力し続ける構成になっており、払出制御装置５１は、その信号が出力されなくなることに起因して払出モータの駆動を再開させる。
【００５７】
また、払出制御装置５１はＣＲユニット端子板６０を介してＣＲユニット５ａと交信することで払出モータを作動させ、貸し球を排出する。払出された貸し球は払出ＳＷ２４ｂに検出され、検出信号は払出制御装置５１に入力される。また、ＣＲユニット端子板６０は精算表示装置１５とも双方向通信可能に接続されており、精算表示装置１５には、遊技球の貸出しを要求するための球貸ＳＷ１６ａ、精算を要求するための精算ＳＷ１７ａが設けられている。
【００５８】
また、払出制御装置５１は、外部接続端子６１を介して賞球に関する情報、枠（内枠、前枠５ｃ）の開閉状態を示す情報などをホールコンピュータに送信するほか、発射制御装置５２に対して発射停止信号を送信する。
【００５９】
なお、本実施例では遊技球を払出す構成であるが、入賞等に応じて発生した賞球を払い出さずに記憶する封入式の構成にしても良い。
発射制御装置５２は発射モータ２２を制御して、遊技球を遊技領域２６に遊技球を発射させる。
【００６０】
なお、発射制御装置５２には払出制御装置５１以外に発射ハンドル１８からの回動量信号、タッチＳＷ２０ａからのタッチ信号、発射停止ＳＷ１９ａから発射停止信号が入力される。
【００６１】
回動量信号は、遊技者が発射ハンドル１８を操作することで出力され、タッチ信号は遊技者が発射ハンドル１８を触ることで出力され、発射停止スイッチ信号は、遊技者が発射停止ＳＷ１９ａを押すことで出力される。なお、タッチ信号が発射制御装置５２に入力されていなければ、遊技球は発射できないほか、発射停止スイッチ信号が入力されているときには、遊技者が発射ハンドル１８を触っていても遊技球は発射出来ないようになっている。
【００６２】
サブ統合装置５３は、主制御装置５０から送信されてくるデータ及びコマンドを受信し、それらを演出表示制御用、音制御用及びランプ制御用のデータに振り分けて、演出表示制御用のコマンド等は演出図柄制御装置５４ａに送信し、音制御用及びランプ制御用は自身に含まれている各制御部位（音声制御装置及びランプ制御装置としての機能部）に分配する。そして、音声制御装置としての機能部は、音声制御用のデータに基づいて音ＬＳＩを作動させることによってスピーカ１１からの音声出力を制御し、ランプ制御装置としての機能部はランプ制御用のデータに基づいてランプドライバを作動させることによって各種ＬＥＤ、ランプ３７を制御する。なお、サブ統合装置５３から主制御装置５０へのデータの送信は行われない。
【００６３】
サブ統合装置５３と演出図柄制御装置５４ａとは双方向通信が可能である。
演出図柄制御装置５４ａは、サブ統合装置５３から受信したデータ及びコマンド（共に主制御装置５０から送信されてきたものとサブ統合装置５３が生成したものとがある）に基づいて演出図柄表示装置５４ｂを制御して、演出図柄等の演出画像を表示させる。
【００６４】
［リフティングゴト防止装置について］
次に、遊技盤８に向って左側に配置された一般入賞口３５に設けられたリフティングゴト防止装置１００（単に防止装置とも記載）について説明する。なお、遊技盤８に向って右側に配置された一般入賞口３６にも同様の防止装置１００が設けられている。
【００６５】
［第一実施形態］
まず、第一実施形態における防止装置１００の構成について、図５を用いて説明する。図５（ａ）には防止装置１００の斜視図が、（ｂ）には防止装置１００の三面図が、（ｃ）には防止装置１００のＡ−Ａ´断面図がそれぞれ記載されている。
【００６６】
防止装置１００は、当該防止装置１００が遊技盤８の裏面に取り付けられた際に該裏面に当接する板状の背面部１１０と、背面部１１０から突出するように配置され、内部に一般入賞口３５に入球した遊技球を流下させる通路１２２が形成された本体部１２０と、背面部１１０から突出するように設けられ、入球口を取り巻くコイルにより該入球口を通過する遊技球を検知する磁気センサとして構成された一般入賞口ＳＷ３５ａと、を有する。
【００６７】
なお、背面部１１０には、防止装置１００を遊技盤８の裏面にねじ留めするための孔部１１１，１１２が形成されている。
また、本体部１２０には、一般入賞口３５に入球した遊技球を通路１２２に導く入球口１２１と、通路１２２を流下した遊技球を樋３５ｂに排出する排出口１２３が形成されている。なお、防止装置１００は、入球口１２１が上側に、排出口１２３が下側に位置する状態で遊技盤８の裏面に取り付けられる。また、通路１２２において、入球口１２１側を上流側、排出口１２３側を下流側とも記載する。
【００６８】
また、本体部１２０には、一般入賞口ＳＷ３５ａが設けられた位置（検知位置）よりも下流側の開閉位置１２４−１を開閉する開閉機構１２４と、遊技球が通路１２２における回転区間１２５−１を下流側から上流側に移動することを防ぐ回転体１２５とを有する。
【００６９】
なお、検知位置と開閉位置１２４−１との間や、検知位置と回転区間１２５−１との間には、少なくとも遊技球の直径よりも長い間隔が設けられている。
開閉機構１２４は、背面部１１０に直交するように設けられた支軸１２４ｂと、該支軸１２４ｂにより軸支され、該支軸１２４ｂを中心に回動することで通路を開閉する扉部１２４ａと、支軸１２４ｂにより軸支されると共に、該支軸１２４ｂを介して扉部１２４ａに対向して配置され、自重により下流側に回動することで、扉部１２４ａを開閉位置１２４−１まで回動させる錘部１２４ｃとを有している。
【００７０】
なお、錘部１２４ｃの重さは遊技球の重さよりも軽いため、開閉位置１２４−１を閉鎖する扉部１２４ａの上流側に遊技球が載置されることで扉部１２４ａが下流側に回動し、開閉位置１２４−１が開放される。また、扉部１２４ａが完全に開放された状態においては、開放された扉部１２４ａと通路１２２の壁部との間は遊技球の直径程度の長さとなり、遊技球が通過可能な状態となる。一方、扉部１２４ａが完全に閉鎖された状態においては、開閉位置１２４−１は１ｍｍ程度の幅の隙間が生じた状態となり、下流側から開閉位置１２４−１の上流側への、遊技球やゴト器具の侵入が不可能となる。
【００７１】
また、回転体１２５は、背面部１１０に直交するように設けられた支軸１２６により軸支されており、回転区間１２５−１に沿って回転し、その外周面に、回転区間１２５−１を流下する遊技球と係合する溝部１２５ａが連なった状態で６つ形成されたスプロケット状に構成されている。そして、回転体１２５が遊技球の流下方向の逆方向に沿って回転することを規制するため、回転体１２５に隣接した状態で支軸１２６により軸支されるラチェット歯車（図示なし）と、該ラチェット歯車の歯に係合することで、ラチェット歯車を遊技球の流下方向に沿ってのみ回転させるラチェット爪（図示なし）とが設けられている。
【００７２】
なお、本体部１２０では、開閉位置１２４−１は回転区間１２５−１の上流側に設けられているが、図１５に記載されているように、開閉位置１２４−１と回転区間１２５−１との間が離れすぎていると、回転区間１２５−１の上流側の位置にゴト器具を侵入させて遊技球を貯留し、貯留した遊技球により扉部１２４ａを開放させた状態で保持することが可能となる。そして、ゴト器具３００を操って貯留した遊技球を検知位置に到達させ、検知位置で遊技球を上下方向に移動させることができ、リフティングゴトが可能となってしまう。
【００７３】
このため、本実施形態では、単に開閉機構１２４と回転体１２５とを設けたのでは無く、図６（ｃ）に記載されているように、遊技球が開閉機構１２４の扉部１２４ａを開放させた状態で回転体１２５の溝部１２５ａに係合するよう、開閉機構１２４と回転体１２５との位置関係（換言すれば、開閉位置１２４−１と回転区間１２５−１の位置関係）が調整されている。すなわち、開閉機構１２４の扉部１２４ａを開放させる遊技球が位置する区間を開放区間とすると、開放区間と回転区間１２５−１とが重複するよう、開閉機構１２４と回転体１２５との位置関係が定められるのである。
【００７４】
そして、遊技球が本体部１２０の通路１２２を流下する際には、開閉機構１２４と回転体１２５とは、次のように動作する。
すなわち、入球口１２１から入球した遊技球２００が検知位置を通過して開閉機構１２４の扉部１２４ａに衝突し、遊技球２００と扉部１２４ａとが当接すると、衝突により扉部１２４ａが開放され（図６（ａ），（ｂ））、遊技球２００が開閉位置１２４−１を通過する。そして、遊技球２００は、扉部１２４ａに当接した状態で流下し、該状態で回転区間１２５−１に到達して回転体１２５の溝部１２５ａに係合される（図６（ｃ））。遊技球２００の流下方向に沿った回転体１２５の回転は規制されていないため、遊技球２００は、扉部１２４ａに当接し、且つ、溝部１２５ａに係合された状態で回転区間１２５−１を流下し、その後、遊技球２００は、扉部１２４ａと溝部１２５ａとから離間する（図６（ｄ））。扉部１２４ａから遊技球２００が離間すると、錘部１２４ｃが自重により下流側に回動するため、扉部１２４ａは上流側に回動して開閉位置１２４−１に到達し、扉部１２４ａにより開閉位置が閉鎖される（図６（ｄ），（ｅ））。
【００７５】
［効果］
第一実施形態の防止装置１００によれば、以下のようにしてリフティングゴトを防止することができる。
【００７６】
すなわち、防止装置１００では、開閉機構１２４の扉部１２４ａにより、遊技球の入球を検知する検知位置の下流側に位置する開閉位置１２４−１が閉鎖される。このため、開閉位置１２４−１の上流側へのゴト器具の侵入を防ぐことができ、リフティングゴトを防止することができる。
【００７７】
また、回転体１２５により、遊技球が、開閉位置１２４−１の下流側に位置する回転区間１２５−１を上流側に移動することが防止される。このため、ゴト器具により防止装置１００の通路１２２内に遊技球を貯留し、開閉機構１２４が開放された状態で保持したとしても、貯留した遊技球を上流側に移動させることができない。このため、一般入賞口ＳＷ３５ａの誤検知を発生させることができず、リフティングゴトを防止することができる。
【００７８】
具体的には、図７の（ａ）〜（ｃ）に記載されているように、防止装置１００の通路１２２にゴト器具３００の先端を侵入させ、開閉位置１２４−１の下流側で開閉機構１２４の扉部１２４ａを開放させている遊技球２００ａを貯留したとしても、貯留された遊技球２００ａは回転体１２５の溝部１２５ａに係合された状態となっているため、該遊技球２００ａを上流側に移動させることができない。このため、該遊技球２００ａを検知位置まで到達させることができず、リフティングゴトを防止することができる。
【００７９】
また、図７の（ｄ）〜（ｆ）に記載されているように、扉部１２４ａを開放させている遊技球２００ａを貯留した状態でさらに一般入賞口３５に遊技球を入球させ、貯留した遊技球２００ａに加え新たに入球した遊技球２００ｂ〜２００ｄを貯留することで、検知位置で遊技球２００ｄを貯留することができる。しかしながら、回転体１２５の溝部１２５ａに係合した遊技球２００ａは上流側に移動することができないため、検知位置で貯留された遊技球２００ｄを上流側に移動させることはできない。このため、一般入賞口ＳＷ３５ａの誤作動を発生させることができず、リフティングゴトを防止することができる。
【００８０】
［第二実施形態］
次に、第二実施形態における防止装置４００の構成について、図８を用いて説明する。第二実施形態の防止装置４００は、第一実施形態の防止装置１００と類似した構成を有しており、第一実施形態と同様の背面部，一般入賞口ＳＷ３５ａを有している。また、本体部４２０に関しては、第一実施形態と類似した構成となっているが、本体部４２０を形成する筺体の形状が一部異なっている。ここでは、本体部４２０の筺体の形状等について説明すると共に、第一実施形態の説明ではラチェット歯車やラチェット爪の構成の説明を省略していたので、これらの構成についても説明する。
【００８１】
なお、図８（ａ）には、防止装置４００の本体部４２０の断面図が記載されているが、これは、図５（ｃ）に記載の第一実施形態の防止装置１００のＡ−Ａ´断面図に相当する。また、防止装置４００は、遊技盤８に向って左側に配置された一般入賞口３５に設けられているものとする。
（１）本体部の構成について
第二実施形態の防止装置４００の本体部４２０には、第一実施形態と同様の入球口４２１と、通路４２２と、排出口４２３とが設けられていると共に、その内部には、第一実施形態と同様の開閉機構４２４と、回転体４２５と、ラチェット歯車４２７と、ラチェット爪４２８とが設けられている。
【００８２】
ここで、通路４２２に沿った方向を縦方向、縦方向に直交する方向を横方向とする。本体部４２０では、入球口４２１と排出口４２３の横方向の長さは１２ｍｍに形成されている（なお、遊技球の直径は１１ｍｍである）。また、入球口４２１に設けられた一般入賞口ＳＷ３５ａの下流側端部から排出口４２３までの長さは３５ｍｍ、本体部４２０の横方向の長さの最大値は４３．７ｍｍとなっている。
【００８３】
また、遊技球の流下方向の逆方向に沿った回転体４２５の回転を規制するラチェット歯車４２７とラチェット爪４２８とは、次のように構成されている。すなわち、回転体４２５とラチェット歯車４２７とは、同一の支軸４２６により軸支された状態で隣接して設けられており、ラチェット歯車４２７の歯は、遊技球の流下方向の逆方向に沿った回転体４２５の回転方向に傾いた状態で形成されている。また、ラチェット爪４２８は、縦方向に沿って配置された棒状部４２８ｂと、該棒状部４２８ｂの下端から通路４２２側に突出し、ラチェット歯車４２７の歯に係合する爪部４２８ａとを有しており、ラチェット爪４２８は、縦方向の移動が可能な状態でラチェット歯車４２７の上方に配置される。
【００８４】
なお、ラチェット爪４２８の棒状部４２８ｂは、本体部４２０を形成する筺体に設けられた孔部４２０ａに縦方向の移動が可能な状態で嵌合されており、棒状部４２８ｂの上端と孔部４２０ａの底部との長さは、ラチェット歯車４２７の回転によりラチェット爪４２８が上下動することで、１．６１〜２．５ｍｍの範囲で変動する。
【００８５】
また、棒状部４２８ｂの幅は２ｍｍ、棒状部４２８ｂが嵌合される孔部４２０ａの幅は２．２ｍｍとなっている。
また、本体部４２０を形成する筺体はＡＢＳ樹脂により構成されており、該筺体の回転体４２５を収容する部位における、防止装置４００の背面部から突出する側面部４２０ｂの一部は、半径５．７ｍｍの曲面をなしている。
【００８６】
また、回転体４２５は、ラチェット歯車４２７がラチェット爪４２８に係合し、且つ、いずれかの溝部４２５ａが支軸４２６の真横に位置する状態においては、回転体４２５の外周面の溝部４２５ａを形成する突出部４２５ｂが、通路４２２の壁部から１．４２ｍｍ突出した状態となっている。
【００８７】
また、回転体４２５を軸支する支軸４２６は、直径３ｍｍの円柱状の部材として構成されている。
（２）ラチェット歯車等の動作について
続いて、防止装置４００の本体部４２０の通路４２２を三つの連なった遊技球２００ａ〜２００ｃが通過する際の、回転体４２５，ラチェット歯車４２７，ラチェット爪４２８の動作について、図８（ｂ）の説明図により説明する。
【００８８】
図８（ｂ−１）は、三つの遊技球２００ａ〜２００ｃの先頭の遊技球２００ａが、開閉機構４２４を開放させると共に、回転体４２５の溝部４２５ａを形成する突出部４２５ｂに衝突した際の様子を示している。このとき、ラチェット爪４２８がラチェット歯車４２７に係合し、且つ、溝部４２５ａが支軸４２６の真横に位置する状態となっており、このときの回転体４２５及びラチェット歯車４２７の角度を０度とする。
【００８９】
先頭の遊技球２００ａが開閉機構４２４を開放させ、且つ、突出部４２５ｂに当接した状態で、遊技球２００ａ〜２００ｃがさらに０．６２ｍｍ流下すると、突出部４２５ｂが先頭の遊技球２００ａにより押され、ラチェット歯車４２７等が遊技球の流下方向に１０度回転し、ラチェット爪４２８とラチェット歯車４２７との係合が解除される（図８（ｂ−２））。その後、遊技球２００ａ〜２００ｃが１ｍｍ流下することで、先頭の遊技球２００ａに押されてラチェット歯車４２７等が１０度回転し（図８（ｂ−３））、さらに、遊技球２００ａ〜２００ｃが１．２４ｍｍ流下すると、ラチェット歯車４２７等が１０度回転し、再びラチェット爪４２８がラチェット歯車４２７に係合した状態となる（図８（ｂ−４））。
【００９０】
そして、遊技球２００ａ〜２００ｃがさらに１．０７ｍｍ流下すると、ラチェット歯車４２７等が１０度回転し、ラチェット爪４２８とラチェット歯車４２７との係合が解除されると共に、先頭の遊技球２００ａが溝部４２５ａに係合した状態となる（図８（ｂ−５））。さらに、先頭の遊技球２００ａが溝部４２５ａに係合した状態で遊技球２００ａ〜２００ｃが１．８１ｍｍ流下すると、ラチェット歯車４２７等が１０度回転し（図８（ｂ−６））、その後、先頭の遊技球２００ａが流下して溝部４２５ａが支軸４２６の真横に位置する状態になると、ラチェット爪４２８がラチェット歯車４２７に係合し、図８（ｂ−１）の状態となる。そして、先頭の遊技球２００ａはその後も継続して流下し、溝部４２５ａから離間して本体部４２０の排出口４２３から排出される。
【００９１】
［効果］
本実施形態の防止装置４００によれば、第一実施形態と同様に、開閉機構４２４により閉鎖される開閉位置の上流側へのゴト器具の侵入を防ぐことができ、リフティングゴトを防止することができる。
【００９２】
また、第一実施形態と同様に、回転体４２５により、遊技球が、開閉機構４２４により閉鎖される開閉位置の下流側の区間にて遊技球が上流側に移動することが防止される。このため、ゴト器具により防止装置４００の通路４２２内に遊技球を貯留し、開閉機構４２４が開放された状態で保持したとしても、貯留した遊技球を上流側に移動させることができない。このため、一般入賞口ＳＷ３５ａの誤検知を発生させることができず、リフティングゴトを防止することができる。
【００９３】
［第三実施形態］
次に、第三実施形態の防止装置５００について、図９及び図１０（ａ）により説明する。図９（ａ）には防止装置５００の斜視図が、（ｂ）には防止装置５００の三面図が、図１０（ａ）には、防止装置５００のＢ−Ｂ´断面図がそれぞれ記載されている。なお、防止装置５００は、遊技盤８に向って左側に配置された一般入賞口３５に設けられているものとする。
【００９４】
第三実施形態の防止装置５００は、第一実施形態の防止装置１００と類似した構成を有しており、第一実施形態の同様の一般入賞口ＳＷ３５ａ及び背面部５１０と、第一実施形態と同様の開閉機構５２４や回転体５２５等が設けられた本体部５２０を有している。しかしながら、本体部５２０の内部における開閉機構５２４と回転体５２５の配置が第一実施形態と異なっており、本体部５２０の入球口５２１と排出口５２３との間の長さが、第一実施形態に比べて長くなっている。
【００９５】
具体的には、本体部５２０には、第一実施形態と同様にして、入球口５２１及び排出口５２３と、入球口５２１と排出口５２３とを結ぶ通路５２２とが設けられており、入球口５２１に入球した遊技球が通路５２２を流下して排出口５２３から排出されるよう構成されている。そして、第一実施形態では開閉位置が回転区間よりも上流側に位置するが、第三実施形態では、開閉位置５２４−１が回転区間５２５−１の下流側の端部に位置するよう、開閉機構５２４と回転体５２５とが配置されている。
【００９６】
なお、一般入賞口ＳＷ３５ａが設けられた検知位置と回転区間５２５−１の上流側の端部との間には、少なくとも遊技球の直径よりも長い間隔が設けられている。
［効果］
第三実施形態の防止装置５００によれば、以下のようにしてリフティングゴトを防止することができる。
【００９７】
すなわち、防止装置５００では、開閉機構５２４の扉部５２４ａにより、遊技球の入球を検知する検知位置の下流側に位置する開閉位置５２４−１が閉鎖される。このため、開閉位置５２４−１の上流側へのゴト器具の侵入を防ぐことができ、リフティングゴトを防止することができる。
【００９８】
また、回転体５２５により、遊技球が、検知位置と開閉位置１２４−１の間に位置する回転区間５２５−１を上流側に移動することが防止される。このため、ゴト器具により防止装置５００の通路５２２内に遊技球を貯留し、開閉機構５２４が開放された状態で保持したとしても、貯留した遊技球を回転区間５２５−１の上流側に移動させることができない。このため、一般入賞口ＳＷ３５ａの誤検知を発生させることができず、リフティングゴトを防止することができる。
【００９９】
具体的には、図１０の（ｂ−１）〜（ｂ−４）に記載されているように、開閉機構５２４の扉部５２４ａを開放させている遊技球２００ａを貯留した状態でさらに一般入賞口３５に遊技球を入球させ、貯留した遊技球２００ａに加え新たに入球した遊技球２００ｂ〜２００ｅを貯留することで、検知位置で遊技球２００ｅを貯留することができる。しかしながら、回転体５２５に係合した遊技球２００ｃは上流側に移動することができないため、検知位置で貯留された遊技球２００ｅを上流側に移動させることはできない。このため、一般入賞口ＳＷ３５ａの誤作動を発生させることができず、リフティングゴトを防止することができる。
【０１００】
［第三実施形態の変形例について］
次に、第三実施形態の防止装置５００の変形例について説明する。
防止装置５００の本体部５２０における開閉位置５２４−１は、必ずしも回転区間５２５−１の下流側の下端に位置する必要は無く、回転区間５２５−１のいずれかの位置に配置されていても良い。なお、開閉位置５２４−１が回転区間５２５−１に配置される場合には、回転体５２５の外周面と開閉機構５２４の扉部５２４ａとが当接しないよう、扉部５２４ａの大きさが調整される。
【０１０１】
このような場合であっても、開閉機構５２４の扉部５２４ａを開放させている遊技球が上流側に移動することを防ぐことができるため、リフティングゴトを防止することができる。
【０１０２】
また、図１１（ａ）に記載されているように、回転区間５２５−１の下流側に開閉位置５２４−１を設けても良い。
このような場合であっても、ゴト器具が開閉位置５２４−１の上流側に侵入することや、通路５２２内に貯留された遊技球を回転区間５２５−１の上流側に移動させること防ぐことができ、リフティングゴトを防止することができる。
【０１０３】
具体的には、図１１の（ａ）〜（ｄ）に記載されているように、開閉機構５２４の扉部５２４ａを開放させている遊技球２００ａを貯留した状態でさらに一般入賞口３５に遊技球を入球させ、遊技球２００ｂ〜２００ｇを貯留することで、一般入賞口ＳＷ３５ａが設けられた検知位置で遊技球２００ｇを貯留することができる。しかしながら、回転体５２５に係合した遊技球２００ｅは上流側に移動することができないため、検知位置で貯留された遊技球２００ｇを上流側に移動させることはできない。このため、一般入賞口ＳＷ３５ａの誤作動を発生させることができず、リフティングゴトを防止することができる。
【０１０４】
また、上述した回転体と開閉機構をそれぞれ別々の装置に設け、回転体が設けられた回転装置を検知位置の下流側に配置すると共に、開閉機構が設けられた開閉装置を回転装置の下流側に配置しても良い。このような場合であっても、リフティングゴトを防止することができる。
【０１０５】
［他の実施形態］
（１）第一，第二実施形態の防止装置では、開閉機構の扉部等を軸支する支軸と回転体を軸支する支軸とが平行に配置されているが、これらの支軸の向きはこれに限定されることはない。これらの支軸が平行に配置されていない場合であっても、扉部を開放させる遊技球が回転体の溝部に係合可能であれば、該遊技球が上流側に移動することを防ぐことができ、同様の効果を得ることができる。
【０１０６】
また、第三実施形態においても、上記支軸は平行に配置されているが、これに限定されることはなく、これらの支軸が平行に配置されていない場合であっても、同様の効果を得ることができる。
（２）また、第一〜第三実施形態では、一般入賞口ＳＷ３５ａは防止装置に内蔵されているが、防止装置と一般入賞口ＳＷ３５ａとを分離させ、一般入賞口ＳＷ３５ａを入球経路の上流側に、防止装置を下流側に配置しても良い。このような場合であっても、同様の効果を得ることができる。
（３）また、第一〜第三実施形態の開閉機構は、錘部が自重により回動することで、遊技球により開放された扉部を開閉位置まで回動させて開閉位置を閉鎖しているが、例えば、ばね等を用いて、開放された扉部を回動させて開閉位置を閉鎖しても良い。このような場合であっても、同様の効果を得ることができる。
【０１０７】
［特許請求の範囲との対応］
上記実施形態の説明で用いた用語と、特許請求の範囲の記載に用いた用語との対応を示す。
【０１０８】
パチンコ機１が弾球遊技機に相当する。また、一般入賞口ＳＷ３５ａが検知装置に、開閉装置が開閉手段に、移動防止区間が回転区間に相当する。
【符号の説明】
【０１０９】
１…パチンコ機、５ａ…ＣＲユニット、５ｂ…ヒンジ、５ｃ…前枠、８…遊技盤、９…板ガラス、１１…スピーカ、１２…上皿、１３…下皿、１３ａ…満杯ＳＷ、１４…停止ボタン、１４ａ…停止ＳＷ、１５…精算表示装置、１６…貸出ボタン、１６ａ…球貸ＳＷ、１７…精算ボタン、１７ａ…精算ＳＷ、１８…発射ハンドル、１９ａ…発射停止ＳＷ、２０ａ…タッチＳＷ、２１…外枠、２２…発射モータ、２３ａ…球切れＳＷ、２４ｂ…払出ＳＷ、２５…ガイドレール、２６…遊技領域、２７…遊技釘、２８…センターケース、２８ａ…窓、２９…特別図柄表示装置、２９ａ…特別図柄保留数表示装置、３０…普通図柄表示装置、３０ａ…普通図柄保留数表示装置、３１…始動口、３１ａ…特図始動ＳＷ、３３ａ…大入賞口、３３ｂ…カウントＳＷ、３３ｃ…大入賞口ソレノイド、３４…アウト穴、３５…一般入賞口、３５ａ…一般入賞口ＳＷ、３５ｂ…樋、３６…一般入賞口、３６ａ…一般入賞口ＳＷ、３６ａ…一般入賞口ＳＷ、３７…ランプ、３８…前面枠閉鎖ＳＷ、３９…意匠枠閉鎖ＳＷ、４０…羽根、４０ｂ…普通役物ソレノイド、４２…普通図柄作動ゲート、４２ａ…普通図柄作動ＳＷ、５０…主制御装置、５１…払出制御装置、５２…発射制御装置、５３…サブ統合装置、５４ａ…演出図柄制御装置、５４ｂ…演出図柄表示装置、６０…ＣＲユニット端子板、６１…外部接続端子、６４…図柄表示装置中継端子板、１００…防止装置、１１０…背面部、１２０…本体部、１２１…入球口、１２２…通路、１２３…排出口、１２４…開閉機構、１２４ａ…扉部、１２４ｂ…支軸、１２４ｃ…錘部、１２４−１…開閉位置、１２５…回転体、１２５ａ…溝部、１２５−１…回転区間、１２６…支軸、２００…遊技球、３００…ゴト器具、４００…防止装置、４２０…本体部、４２０ａ…孔部、４２０ｂ…側面部、４２１…入球口、４２２…通路、４２３…排出口、４２４…開閉機構、４２５…回転体、４２５ａ…溝部、４２５ｂ…突出部、４２６…支軸、４２７…ラチェット歯車、４２８…ラチェット爪、４２８ａ…爪部、４２８ｂ…棒状部、５００…防止装置、５１０…背面部、５２０…本体部、５２１…入球口、５２２…通路、５２３…排出口、５２４…開閉機構、５２４ａ…扉部、５２４−１…開閉位置、５２５…回転体、５２５−１…回転区間。
【図１】
0005810343.tif 000002
【図２】
0005810343.tif 000003
【図３】
0005810343.tif 000004
【図４】
0005810343.tif 000005
【図５】
0005810343.tif 000006
【図６】
0005810343.tif 000007
【図７】
0005810343.tif 000008
【図８】
0005810343.tif 000009
【図９】
0005810343.tif 000010
【図１０】
0005810343.tif 000011
【図１１】
0005810343.tif 000012
【図１２】
0005810343.tif 000013
【図１３】
0005810343.tif 000014
【図１４】
0005810343.tif 000015
【図１５】
0005810343.tif 000016